(57)【要約】      （修正有）【課題】マスクの中間部を開閉自在にし、取り扱い易いマスクを提供する。【解決手段】マスクは、横長の上部帯１と横長の下部帯２とが、左右一対の連結部３で接続され、下部帯２は第１折返しの縁２ｃと第２折返し縁２ｅとで折り返されている。第１折返しの縁２ｃの長手方向中央位置に摘まみ部４が取り付けられている。摘まみ部４を下方に引き下げることにより、容易に上部帯１と下部帯２との間に開口を形成できる。【選択図】図３
0003229287.tif 000002
【実用新案登録請求の範囲】
【請求項１】
横長の上部帯（１）と、上部帯（１）に平行で、その上端部が上部帯（１）の下側に重なる横長の下部帯（２）と、
上部帯（１）および下部帯（２）の両側が接続された一対の連結部（３）と、
下部帯（２）の外側に突設した摘まみ部（４）と、を具備し、
前記摘まみ部（４）を上部帯（１）に対して下方へ引き下ろすことにより、上部帯（１）と下部帯（２）との重なり部を自在に開閉可能に形成したマスク。
【請求項２】
請求項１に記載のマスクにおいて、
下部帯（２）が、その幅方向の中間位置で、下部帯（２）の全幅より細く、内側に二重に折り返された第１細帯部（２ａ）と第２細帯部（２ｂ）とを有し、
第１細帯部（２ａ）が上部帯（１）側に位置し、第２細帯部（２ｂ）が顔の顎を抱持するように形成され、
前記二重に折返された第１折返しの縁（２ｃ）の長手方向の中央に前記摘まみ部（４）が形成されたマスク。
【請求項３】
請求項１または請求項２に記載のマスクにおいて、
上部帯（１）の少なくとも中央部が、下部帯（２）の中央から、それらの厚み方向に離反して、そこに隙間（５）が予め保持されたマスク。
【考案の詳細な説明】
【技術分野】
【０００１】
本考案は、マスクをしたまま飲食が可能であると共に、呼吸のし易いものに関する。
【背景技術】
【０００２】
下記特許文献１に記載のマスクとして、上側の被覆部と下側の被覆部とが重複され、その重複部を開放自在にすることにより、その開放部から飲食できるものが提案されている。
また、特許文献２に記載のマスクは、上部側の布と下部側の布との重なり部に呼吸を容易にする隙間が形成されている。
【先行技術文献】
【特許文献】
【０００３】
【特許文献１】特開２００６−１９８３０５号公報
【特許文献２】実用新案登録第３１３６０８４号公報
【考案の概要】
【考案が解決しようとする課題】
【０００４】
前記特許文献に記載のマスクは、何れもマスクの上部側と下部側との間を開閉できるようにしたものである。
しかしながら、その開閉が面倒である欠点があった。
そこで、本考案は開閉を容易にすることができるマスクの提供を課題とする。
【課題を解決するための手段】
【０００５】
請求項１に記載の本考案は、横長の上部帯１と、上部帯１に平行で、その上端部が上部帯１の下側に重なる横長の下部帯２と、
上部帯１および下部帯２の両側が接続された一対の連結部３と、
下部帯２の外側に突設した摘まみ部４と、を具備し、
前記摘まみ部４を上部帯１に対して下方へ引き下ろすことにより、上部帯１と下部帯２との重なり部を自在に開閉可能に形成したマスクである。
【０００６】
請求項２に記載の本考案は、請求項１に記載のマスクにおいて、
下部帯２が、その幅方向の中間位置で、下部帯２の全幅より細く、内側に二重に折り返された第１細帯部２ａと第２細帯部２ｂとを有し、
前記第１細帯部２ａが上部帯１側に位置し、前記第２細帯部２ｂが顔の顎を抱持するように形成され、
前記二重に折返された第１折返しの縁２ｃの長手方向の中央に前記摘まみ部４が形成されたマスクである。
【０００７】
請求項３に記載の本考案は、請求項１または請求項２に記載のマスクにおいて、
前記上部帯１の少なくとも中央部が、前記下部帯２の中央から、それらの厚み方向に離反して、そこに隙間５が予め保持されたマスクである。
【考案の効果】
【０００８】
請求項１に記載の考案は、摘まみ部４を上部帯１に対して下方へ引き下ろすことにより、上部帯１と上部帯２との重なり部を自在に開閉可能にしたものである。
これにより、必要に応じて、上部帯１と下部帯２との重なり部を開閉し、開放部から飲食物を取ることができると共に、吸気を容易に入れることができる。このとき、摘まみ部４が存在するので、その開閉が容易となる。
【０００９】
請求項２に記載の考案は、上記構成において、下部帯２を、内側に二重に折り返し、顔の顎を抱持すと共に、第１折返しの縁２ｃに摘まみ部４を形成してもよいものである。
これにより、摘まみ部４がさらに持ち易くなる。
【００１０】
請求項３に記載の考案は、上記構成において、上部帯１と下部帯２との間に隙間５を厚み方向に設けてもよいものである。
これにより、上部帯１と上部帯２との隙間５から、さらに吸気を容易に取り入れることができる。それと共に、咳や会話に伴う飛沫は阻止される。
【図面の簡単な説明】
【００１１】
【図１】本考案のマスクであって、（Ａ）はその表面図、（Ｂ）はその裏面図。
【図２】本考案のマスクの側面図。
【図３】同マスクの斜視図。
【図４】同マスクの使用状態を示す説明図。
【図５】同マスクの摘まみ部４により、下部帯２を引き下ろした状態の斜視図。
【考案を実施するための形態】
【００１２】
次に、図面に基づいて本考案の実施の形態につき説明する。
本考案のマスクは、図４に示す如く、横長の上部帯１と同様に横長の下部帯２とが、左右一対の連結部３で接続され、その連結部３に耳掛け６が設けられている。
さらに、その下部帯２は図３に示す如く、幅方向の中間位置で二重に折り重ねられている。即ち、下部帯２は第１折返しの縁２ｃと第２折返し縁２ｅとで折り返されている。そして、その第１折返しの縁２ｃの長手方向中央位置に摘まみ部４が取り付けられている。
【００１３】
また、図２から明らかな如く、この例では、上部帯１と下部帯２とが重なる重なり部分に隙間５が設けられ、これにより呼吸のし易いマスクとなる。
そして、下部帯２の第１折返しの縁２ｃに突設された摘まみ部４を下方に引き下げることにより、容易に上部帯１と下部帯２との間に開口を形成し、そこからストローや食物を口元に運び易くすることができる。
【００１４】
〔折返し部の作用〕
下部帯２の下部は、第１折返しの縁２ｃと第２折返し縁２ｅにより二重に折り返されている。図３において、第１折返しの縁２ｃの内側の第１細帯部２ａとそれに対向する第２細帯部２ｂとは、第１折返しの縁２ｃ，第２折返し縁２ｅの存在により上下方向に伸縮自在となる。そして、図４において、その第２細帯部２ｂは顔の顎部をしっかりと抱持することができるものとなる。
【００１５】
〔他の実施例〕
上記実施例では、下部帯２の下部を二重に折り畳んで、その第１折返しの縁２ｃに摘まみ部４を突設したが、本考案はこれに限らず、その二重の折返しを省略してもよい。
その場合には、下部帯２の下端縁中央に摘まみ部４を設ければよい。
摘まみ部４は、そのマスクの形状に合わせ、摘まみ部４を下方に引き下げ易い位置であれば、下部帯２のどの位置に形成してもよく、その形成する数も上記実施例に限定されない。
さらには、図２において上部帯１と下部帯２との間に隙間５を広く形成したが、その隙間５の開口の広さは任意でよい。また、隙間５はなくてもよい。
上記実施例では、上部帯１と下部帯２の重なりの構造は、下部帯２が上部帯２の内側に位置しているが、隙間５を形成しない場合、下部帯２が上部帯２の外側に位置することもできる。
さらには、摘まみ部４の形状は上記実施例に限定されるものではない。
【符号の説明】
【００１６】
１  上部帯
１ａ  上部帯上縁
１ｂ  上部帯下縁
２  下部帯
２ａ  第１細帯部
２ｂ  第２細帯部
２ｃ  第１折返しの縁
２ｄ  下部帯上縁
２ｅ  第２折返し縁
２ｆ  下部帯下縁
３  連結部
４  摘まみ部
５  隙間
６  耳掛け
【図１】
0003229287.tif 000003
【図２】
0003229287.tif 000004
【図３】
0003229287.tif 000005
【図４】
0003229287.tif 000006
【図５】
0003229287.tif 000007